(57)【要約】【課題】  同軸コネクの結合・離合操作を簡易化できるカップリングナットを装着したプラグコネクタを提供することにある。【解決手段】  ピンコンタクト付プラグコネクタ１０をソケットコンタクト付ジャックコネクタ２０の開口部内に装着して結合する同軸コネクタにおいて、２ターン以内の雌ねじ領域を内面に設けたカップリングナット３０がプラグコネクタ１０に回転自在に設けられ、ジャックコネクタ２０はこの雌ねじ領域より長い雄ねじ領域が設けられる。両コネクタ１０および２０はピンコンタクト１３をジャックコネクタ２０のソケットコンタクト２３に挿入した後に、カップリングナット３０の雌ねじ領域をジャックコネクタ２０の雄ねじ領域に螺合して締付け固着して結合する同軸コネクタである。この構造によれば、カップリングナット３０のねじ領域の形成が容易になり、結合・分離の装着作業を容易にして作業効率を向上させる。【選択図】    図１
0003122938.tif 000002
【実用新案登録請求の範囲】
【請求項１】
第1中心導体の外周に絶縁体を介在して設けられた第１外部導体およびこの第1外部導体の外周に回転可能に設けられた内面に雌ねじを螺刻したカップリングナットからなる第１コネクタ部材と、第２中心導体の外周に絶縁体を介在して設けられた外面に雄ねじを螺刻した第２外部導体からなる第２コネクタ部材とを具備する同軸コネクタであって、前記カップリングナットの雌ねじ領域の全長は前記第２外部導体の雄ねじ領域の全長の略１／３以下に設定され、前記第１および第２コネクタ部材の挿入・抜去をプッシュ・プルと左右回転で操作することを特徴とする同軸コネクタ。
【請求項２】
カップリングナットを備えたピンコンタクト付プラグコネクタをソケットコンタクト付ジャックコネクタの開口に装着する同軸コネクタにおいて、前記カップリングナットの雌ねじ領域をには２ターン未満、前記ジャックコネクタの雄ねじ領域を２ターン以上で設け、前記プラグコネクタを前記ジャックコネクタに押し込み、前記カップリングナットを前記ジャックコネクタに螺合締結することを特徴とする同軸コネクタ。
【請求項３】
中心導体の外周に絶縁体を介在して設けた外部導体と、この外部導体上で回転自在に装着した雌ねじ付カップリングナットとを具備するコネクタ部材をであって、前記カップリングナットの雌ねじ領域は螺合する雄ねじ付部材の雄ねじ領域より短くかつ２ターン以内で設けプッシュアンドターン操作で締結することを特徴とする同軸コネクタ。
【考案の詳細な説明】
【技術分野】
【０００１】
この考案は、高周波同軸ケーブル用の同軸コネクタに関し、特に、ＳＭＡコネクタの一般的性能を満足させて締付け結合の締結作業を簡素・簡略化する簡易形同軸コネクタ構造に関する。
【背景技術】
【０００２】
ＳＭＡコネクタは高周波帯域の同軸ケーブル用同軸コネクタとして広く使用されており、ＭＩＬ規格（米軍規格）により材質、表面仕上げ、電気的・機械的性能および環境的性能等が規定されている。たとえば、従来のＳＭＡ同軸コネクタは、プラグコネクタとジャックコネクタの一対のコネクタで構成される。この場合、プラグコネクタは、図４に示すように、ハウジングの外部導体１とプラグ用センタコンタクトを有する中心導体２とが絶縁体のブッシング３を介して同心状に配置構成されている。外部導体１は前方側に延び出す小径の電気的接続部と後方側で大径の機械的結合部とを備え、比較的強固な機械的結合部には回転自在のカップリングナット４がリティナリング５を用いて係留支承されている。このプラグコネクタの外部導体１の電気的接続部には接続相手となる相手側ジャックコネクタの雄ねじ付外部導体（図示せず）が挿入され、その先端が外部導体１の機械的結合部の段差に配置したガスケット６に当接するまで押し込ませる。すなわち、プラグコネクタの外部導体１の前方側を接続相手のジャックコネクタの雄ねじ付外部導体（図示せず）に位置合わせして、カップリングナット４を回転操作により相手側の雄ねじ付外部導体に螺合させて締付ける。両コネクタはカップリングナット４の締め付けにより電気的接続と同時に機械的に結合され強固に固着される。通常、この締め付けによりＳＭＡコネクタの規定を満足する機械的結合と電気的接続を得ている。
【０００３】
ところが、一対のコネクタを結合したり切離したりする挿入・抜去の際にカップリングナットを締め付けたり緩めたりしなければならない。そうした場合、スパナ等の工具を使用する必要があるので締め付け・切り離し作業に手間が掛かるという問題があった。特に、高周波特性の測定等で測定機器に接続したり取外したりする場合には締付と切離の作業が頻繁に行われ多大の労力と時間を要し、こうした作業の簡略化が望まれ、それに対応できる簡易形同軸コネクタの提供が望まれている。さらには、通信機器などの設置場所が狭い空間である場合には、コネクタの全長を短かくしたいことがあり、コネクタの短縮化が望まれる。同軸コネクタのカップリングナットについては、たとえば、特開平７−２４０２５８号公報に開示されるようなねじの緩みを防止する同軸コネクタ、特開平１０−２８９７６６号公報が開示する同軸コネクタのカップリングナットの分離可能な構造、特開２００２−７５５５０号公報の締付け作業の簡略化を図り締付けトルクの管理を容易にする同軸コネクタ、および特開２００５−２５９４０４号公報に示されるようなカップリングナットのシェルへの組み込みを容易にした同軸コネクタプラグが知られている。
【考案の開示】
【考案が解決しようとする課題】
【０００４】
しかしながら、従来のプラグコネクタのカップリングナットに関する改良構造は、弾性体部品の追加による補強、あるいは締付け強化や緩み防止の構造に特徴があった。具体的には同軸コネクタの外部導体に対するカップリングナットの装着構造に関する提案であり、一対のコネクタを接続結合したり切離除去したりする際の作業性の問題点を追求し対策を講じたものはなかった。たとえば、同軸コネクタを接続する際にカップリングナットによる締付け作業の手間を少しでも軽減して作業性を容易にするようなカップリングナットの簡略化構造を提案していない。特に、高周波測定等での異なる測定機器への切替の際、頻度の多い結合時の締付け作業と取外し時の緩め作業での作業性を改善する提案が望まれており、一対のコネクタからなる同軸コネクタの着脱が容易な簡易形同軸コネクタの提供が要請されていた。さらに、狭い空間での接続結合が可能となるようなフラグコネクタとしてカップリングナットの全長を短かくして挿入抜去の着脱操作を容易にする同軸コネクタが望まれていた。
【０００５】
したがって、本考案の目的は、上述する欠点に鑑み提案されたものであり、同軸コネクタの結合・離脱を容易にすると共に全長が短くできる簡易形カップリングナットを用いた新規かつ改良された同軸コネクタを提供することにある。特に、一対のコネクタからなる同軸コネクタにおいて、プラグコネクタをジャックコネクタに締結する際に押圧操作でコンタクト結合をした後にカップリングナットを一捻り回転で締付けできるプッシュ・ワンターン操作の改良された同軸コネクタの提供を目的とする。
【課題を解決するための手段】
【０００６】
本考案によれば、第1中心導体の外周に絶縁体を介在して設けられた第１外部導体およびこの第1外部導体の外周に回転可能に設けられた内面に雌ねじを螺刻したカップリングナットからなる第１コネクタ部材と、第２中心導体の外周に絶縁体を介在して設けられた外面に雄ねじを螺刻した第２外部導体からなる第２コネクタ部材とを具備する同軸コネクタであって、前記カップリングナットの雌ねじ領域の全長は前記第２外部導体の雄ねじ領域の全長の略１／３以下に設定され、第１および第２コネクタ部材の挿入・抜去をプッシュ・プルと左右回転で操作することを特徴とする同軸コネクタが提供される。すなわち、カップリングナットを備えたピンコンタクト付プラグコネクタをソケットコンタクト付ジャックコネクタの開口に装着する同軸コネクタにおいて、前記カップリングナットの雌ねじ領域をには２ターン未満、ジャックコネクタの雄ねじ領域を２ターン以上で設け、プラグコネクタをジャックコネクタに押し込み、前記カップリングナットをジャックコネクタに螺合して締結する同軸コネクタを開示する。また、中心導体の外周に絶縁体を介在して設けた外部導体と、この外部導体上で回転自在に装着した雌ねじ付カップリングナットとを具備するコネクタ部材をであって、雌ねじ付カップリングナットの雌ねじ領域は螺合結合する雄ねじ付部材の雄ねじ領域より短くかつ２山（ターン）以内で設定けプッシュアンドワンターン操作で締付結合するようにした同軸コネクタを開示する。
【０００７】
換言すると、第1中心導体、この第1中心導体の外周に絶縁体を介在して設けられた第１外部導体およびこの第1外部導体の外周に回転可能に設けられた内面に雌ねじを螺刻したカップリングナットを具備する第１コネクタ部材と、第２中心導体とおよびこの第２中心導体の外周に絶縁体を介在して設けられた外面に雄ねじを螺刻した第２外部導体を具備する第２コネクタ部材との螺合可能な一対のコネクタ部材により構成された同軸コネクタであって、カップリングナットの雌ねじ領域の全長を第２外部導体の雄ねじ領域の全長より短くして、一対のコネクタ部材の結合・分離操作を容易にする同軸コネクタが提供される。ここで、一対のコネクタ部材として、第１コネクタ部材はピンコンタクトを有するプラグコネクタであり、第２コネクタ部材はソケットコンタクトを有するジャックコネクタであって、カップリングナットの雌ねじ領域の全長は第２外部導体の雄ねじ領域の全長に対して略１／３以下、好ましくは、ねじ溝で２ターン未満で設定して、一対のコネクタ部材の結合・離脱をプッシュ・プルおよび略ワンターンの左・右回転操作で行うことを特徴とする。
【０００８】
本考案はカップリングナットを備えたピンコンタクト付プラグコネクタをソケットコンタクト付ジャックコネクタの開口に装着して結合する同軸コネクタにおいて、カップリングナットには２ターン未満の溝で形成した雌ねじ領域を設け、ジャックコネクタにはカップリングナットの雌ねじ領域より長くした２ターン以上の雄ねじ領域を設け、結合操作はプラグコネクタのピンコンタクトをジャックコネクタのソケットコンタクトに押し込み、その後にカップリングナットの雌ねじ領域をジャックコネクタの雄ねじ領域に螺合させて回転し締付けるようにした同軸コネクタである。この構造によれば、同軸コネクタのプラグコネクタが短小化され、狭い空間での結合・分離を可能にすると共に装着離脱作業を簡素化し作業効率を向上できる。すなわち、ピンコンタクトおよびソケットコンタクト間をプッシュ・プル操作により挿入・抜去を行うと共にカップリングナットの螺合をターン回転操作により締付固着・緩め分離を行い、接続結合状態をプッシュ・ワンピッチ一捻り作業で実行可能にする。
【考案の効果】
【０００９】
上述する本考案の同軸コネクタは、プラグコネクタに取付けるカップリングナットの雌ねじ領域を短く設定したので螺刻作業が簡素化され製作コストの低減を可能にする。特に、結合・離脱の操作が極めて容易かつ迅速にでき、高周波特性の測定作業や高周波機器の組み立て作業の効率化に役立つ。また、一対のコネクタ間の結合でプッシュ操作により予めコンタクト間の結合感触を得てから締付け回転のターン操作をするので結合を確実かつ迅速に実現でき、いわゆる、プッシュ・ターンの一捻りタイプの簡易形同軸コネクタを提供する。したがって、構成の簡素化が図られてローコストされ、結合・離脱を容易にする等の実用的効果を奏する同軸コネクタが提供される。なお、カップリングナットの取付けをジャックコネクタにしても同様の効果を得ることができる。
【考案を実施するための最良の形態】
【００１０】
本考案の同軸コネクタは、図１および図２に示すように、第1中心導体１２、この第1中心導体の外周に絶縁体１４を介在して設けられた第１外部導体１６およびこの第1外部導体の外周に回転可能に設けられた内面に雌ねじ３２を螺刻したカップリングナット３０を具備する第１コネクタ部材、通称、ピンコンタクト付プラグコネクタ１０と、第２中心導体２２およびこの第２中心導体の外周に絶縁体２４を介在して設けられた外面に雄ねじ２８を螺刻した第２外部導体２６を具備する第２コネクタ部材、通称、ソケットコンタクト付ジャックコネクタ２０との螺合可能な一対のコネクタ部材により構成される。カップリングナット３０の雌ねじ３２が形成された領域は第２外部導体２６の雄ねじ２８の形成された領域より短くされて２ターン未満であり、一対のコネクタ部材の結合・離合の操作を容易にする。ここで、ピンコンタクト付プラグコネクタ１０はピンコンタクト１３を有し、ソケットコンタクト付ジャックコネクタ２０はソケットコンタクト２３を有する。本考案の特徴として、カップリングナット３０の雌ねじ領域は第２外部導体２６の雄ねじ領域の略１／３以下の長さに設定することであり、一対のコネクタ部材の結合・離合を、先ず、ピンコンタクト１３およびソケットコンタクト２３間のプッシュまたはプル操作により挿入または抜去の感触を得ることと、ターン回転操作により締付け螺合または緩め離脱することで着脱を行なう。いわゆる、カップリングナットの構造簡素化とプッシュおよびワンピッチ一捻り操作による装着作業の容易化を図り、経済的効果のある簡易形同軸コネクタを提供する。
【００１１】
すなわち、本考案の同軸コネクタは、カップリングナット３０を備えたピンコンタクト付プラグコネクタ１０をソケットコンタクト付ジャックコネクタ２０の開口部分に装着して結合する同軸コネクタにおいて、カップリングナット３０は略２ターン弱の雌ねじ領域を設け、ジャックコネクタ２０は通常の雄ねじ領域として、カップリングナット３０の雌ねじ領域より長い雄ねじ領域を設ける。プラグコネクタ１０のピンコンタクト１３をジャックコネクタ２０のソケットコンタクト２３に挿入した後に、カップリングナット３０の雌ねじ領域をジャックコネクタ２０の雄ねじ領域に螺合して締付けるようにした同軸コネクタである。この構造によれば、プラグコネクタ１０に取付けるカップリングナット３０のねじ領域を短くすることでねじ形成加工が短縮化できる。また、狭い空間での結合・分離を容易にすると共に雌ねじ領域の短小化でコスト低減に役立つと同時に結合・分離の装着作業を容易にして作業効率を向上させる。
【００１２】
以下、本考案に係る実施例について図面を参照して詳述する。図１および図２はＳＭＡタイプコネクタの分離状態の拡大部分断面図を示し、図３は結合状態の同軸コネクタである。同軸コネクタは、第１コネクタ部材のプラグコネクタ１０と第２コネクタ部材のジャックコネクタ２０との一対のコネクタ部材により構成され、プラグコネクタ１０には本考案の特徴とする２ターン未満の雌ねじ３２を設けたカップリングナット３０が回転自在に装着されている。プラグコネクタ１０は先端部にピンコンタクト１３を形成した中心導体１２およびこの中心導体１２と電気的に絶縁する絶縁体１４を介在して固定した外部導体１６を同心状に配置し、外部導体１６に回動自在のカップリングナット３０をリティナリング３１により係留装着して構成される。一方、ジャックコネクタ２０は外部導体２１、先端部にソケットコンタクト２３を形成した中心導体２２およびこの中心導体２２を電気的に絶縁する絶縁体２４を介在して固定した外部導体２６を同心状に配置して構成される。中心導体１２、２２の各本体部分の外径は互いに等しくされ、プラグコネクタ１０とジャックコネクタ２０の結合状態において、ジャックコネクタ側中心導体２２のソケットコンタクト２３の先端面２５とプラグコネクタ側中心導体１２のショルダ先端面１５とは所定のクリアランス内で対向する。ショルダ先端面１５は中心導体１２から伸び出たピンコンタクト１３の根元部分で放射状に広がって延びた部分である。結合状態では、各外部導体１６、２６の先端端面は互いに当接端面となって相対向して互いに当接する。ここで、両者の合体を安定化するために耐湿性シリコンゴム製ガスケット１７が配置されるほか、ピンコンタクト１３とソケットコンタクト２３は一方または両方の先端部が互いに挿入容易な形状に加工されている。なお、この実施例におけるジャックコネクタ２０はＳＭＡコネクタの規定のマッチするジャックコネクタが利用できる。
【００１３】
次に、同軸コネクタを構成する一対のコネクタ部材の結合・離脱の操作について説明する。プラグコネクタ１０とジャックコネクタ２０の結合は、先ず、プラグコネクタ１０をジャックコネクタ２０の開口に嵌め込んで中心導体１２のピンコンタクト１３を中心導体２２のソケットコンタクト２３の中心に押し込むことでコンタクト間の結合感触を得る。いわゆる、プッシュ操作によるコンタクト間を結合状態にする。次に、カップリングナット３０が回転され、その内面に１〜２ターンの谷溝で螺刻した雌ねじ３２をジャックコネクタの外部導体２６の外面に螺刻した雄ねじ２８に螺合係合状態で一捻りされる。ねじ作用は両者のひっかかりによって生じ、カップリングナット３０のねじ溝数で締付感触を得る。いわゆる、ターン操作による一捻り固着が達成される。この一捻りで第１および第２外部導体１６、２６の端面が当接して締付け完了となる。かくして、プラグコンタクト２０とジャックコンタクト３０は機械的電気的結合が完成される。この場合、中心導体１２、２２間にできるギャップは理想的にはゼロが好ましいが、クリアランスとして機械的に許容できる範囲で設定され零より僅かに長い寸法とされ、プラグコネクタ１０とジャックコネクタ２０の締め付け時に外部導体が当接端面で確実に当接接合することを保証している。なお、装着における締付けトルクは９０Ｎ以上を確保しており、ＳＭＡコネクタの規格を満足させることを確認した。
【図面の簡単な説明】
【００１４】
【図１】本考案に係る実施態様の同軸コネクタのピンコンタクト付プラグコネクタを示す要部断面図である。
【図２】同じく図１の同軸コネクタに用いるソケットコネクタ付ジャックコネクタの要部断面図である。
【図３】同じく図１の同軸コネクタにおける一対のコネクタからなる結合状態を示す要部断面図である。
【図４】従来の同軸コネクタのピンコンタクト付プラグコネクタを示す断面図である。
【符号の説明】
【００１５】
１０…プラグコネクタ（第１コネクタ部材）、  １２、２２…（第１、第２）中心導体、  
１３、２３…（ピン、ソケット）コンタクト、  １４、２４…絶縁体、    １５…先端面、  
１６、２６…（第１、第２）外部導体、  １７…ガスケット、  
２０…ジャックコネクタ（第２コネクタ部材）、  ２８…雄ねじ、  ３０…カップリングナット、  
３１…リティナリング、  ３２…雌ねじ。
【図１】
0003122938.tif 000003
【図２】
0003122938.tif 000004
【図３】
0003122938.tif 000005
【図４】
0003122938.tif 000006